(57)【要約】【課題】液晶パネルのつなぎ目が表示されないようにできること。【解決手段】映像信号を伝送する複数のデータバスラインと、複数のデータバスラインに映像信号を出力するソースドライバ１０ａ、１０ｂと、複数のデータバスラインに交差する複数のゲートバスラインと、複数のゲートバスラインを介して各々が対向する位置に配置されるゲートドライバ２０ａ、２０ｂと、複数のデータバスラインと複数のゲートバスラインの各交差点に配置された画素電極４と、ゲート電極をゲートバスラインに接続し、ソース電極をデータバスラインに接続し、またドレイン電極を画素電極４に接続したＴＦＴ５と、を有する液晶表示デバイス１であって、複数のゲートバスラインは、対向するゲートドライバ２０ａとゲートドライバ２０ｂの間で不規則に分割される。【選択図】        図１
2005338622.tif 000002
【特許請求の範囲】
【請求項１】
映像信号を伝送する複数のデータバスラインと、該複数のデータバスラインに該映像信号を出力する複数のソースドライバと、該複数のデータバスラインに交差する複数のゲートバスラインと、該複数のゲートバスラインを介して各々が対向する位置に配置される複数のゲートドライバと、該複数のデータバスラインと該複数のゲートバスラインの各交差点に配置された画素電極と、ゲート電極を該ゲートバスラインに接続し、ソース電極を該データバスラインに接続し、またドレイン電極を該画素電極に接続したスイッチング素子と、を有する液晶表示デバイスであって、
前記複数のゲートバスラインは、前記対向する複数のゲートドライバの間で不規則に分割されることを特徴とする液晶表示デバイス。
【請求項２】
前記複数のゲートバスラインは、前記対向する複数のゲートドライバの間の中央を挟んで不規則に分割されることを特徴とする請求項１に記載の液晶表示デバイス。
【請求項３】
前記複数のゲートバスラインは、前記対向する複数のゲートドライバの間の中央からいずれか一方の複数のゲートドライバ寄りの領域で不規則に分割されることを特徴とする請求項１に記載の液晶表示デバイス。
【請求項４】
前記複数のソースドライバに対向する位置に配置され、前記複数のデータバスラインに前記映像信号を出力する複数のソースドライバをさらに備え、
前記複数のデータバスラインは、前記対向する複数のソースドライバの間で不規則に分割されることを特徴とする請求項１、２または３に記載の液晶表示デバイス。
【請求項５】
前記複数のデータバスラインは、前記対向する複数のソースドライバの間の中央を挟んで不規則に分割されることを特徴とする請求項４に記載の液晶表示デバイス。
【請求項６】
前記複数のデータバスラインは、前記対向する複数のソースドライバの間の中央からいずれか一方の複数のソースドライバ寄りの領域で不規則に分割されることを特徴とする請求項４に記載の液晶表示デバイス。
【請求項７】
映像信号を伝送する複数のデータバスラインと、該複数のデータバスラインに該映像信号を出力する複数のソースドライバと、該複数のデータバスラインに交差する複数のゲートバスラインと、該複数のゲートバスラインを介して各々が対向する位置に配置される複数のゲートドライバと、該複数のデータバスラインと該複数のゲートバスラインの各交差点に配置された画素電極と、ゲート電極を該ゲートバスラインに接続し、ソース電極を該データバスラインに接続し、またドレイン電極を該画素電極に接続したスイッチング素子と、を有する液晶表示デバイスであって、
前記複数のゲートバスラインは、前記対向する複数のゲートドライバの間で規則的に分割されることを特徴とする液晶表示デバイス。
【請求項８】
前記複数のゲートバスラインは、前記対向する複数のゲートドライバの間の中央を挟んで規則的に分割されることを特徴とする請求項７に記載の液晶表示デバイス。
【請求項９】
前記複数のゲートバスラインは、前記対向する複数のゲートドライバの間の中央からいずれか一方の複数のゲートドライバ寄りの領域で規則的に分割されることを特徴とする請求項７に記載の液晶表示デバイス。
【請求項１０】
前記複数のソースドライバに対向する位置に配置され、前記複数のデータバスラインに前記映像信号を出力する複数のソースドライバをさらに備え、
前記複数のデータバスラインは、前記対向する複数のソースドライバの間で規則的に分割されることを特徴とする請求項７、８または９に記載の液晶表示デバイス。
【請求項１１】
前記複数のデータバスラインは、前記対向する複数のソースドライバの間の中央を挟んで規則的に分割されることを特徴とする請求項１０に記載の液晶表示デバイス。
【請求項１２】
前記複数のデータバスラインは、前記対向する複数のソースドライバの間の中央からいずれか一方の複数のソースドライバ寄りの領域で規則的に分割されることを特徴とする請求項１０に記載の液晶表示デバイス。
【発明の詳細な説明】
【技術分野】
【０００１】
この発明は、液晶表示デバイスに関し、特に液晶パネルのつなぎ目が表示されないようにできる液晶表示デバイスに関するものである。
【背景技術】
【０００２】
従来、アクティブマトリックスＴＦＴ  ＬＣＤ（Ｔｈｉｎ  Ｆｉｌｍ  Ｔａｎｓｉｓｔｏｒ  Ｌｉｑｕｉｄ  Ｃｒｙｓｔａｌ  Ｄｉｓｐｌａｙ）などの液晶表示デバイスにおいてワイドな表示画面を構成する場合は、液晶表示デバイスを２枚つなぎ合わせることが一般的に行われていたので、液晶表示デバイスが灰色をベタに表示するとゲートバスラインの抵抗の差などで液晶パネルのつなぎ目が表示されてしまう。例えば、特許文献１では、ソースドライバとゲートドライバを二対使用して液晶表示デバイスを構成し、ゲートバスラインを中央で分割してゲートバスラインの末端に位置する画素電極へのデータ書き込み時間を確保する従来技術が開示されている。
【０００３】
【特許文献１】特開平１０−１３３１７５号公報
【発明の開示】
【発明が解決しようとする課題】
【０００４】
特許文献１の従来技術では、ソースドライバとゲートドライバを二対使用して液晶表示デバイスを構成し、ゲートバスラインを中央で分割してゲートバスラインの末端に位置する画素電極へのデータ書き込み時間を確保することができる。しかしながら、特許文献１の従来技術では、液晶表示デバイスが灰色をベタに表示するとゲートバスラインの抵抗の差などで液晶パネルのつなぎ目が表示されてしまうという課題が解決されなかった。
【０００５】
この発明は、上述した従来技術による問題点を解消するためになされたものであり、液晶パネルのつなぎ目が表示されないようにできる液晶表示デバイスを提供することを目的とする。
【課題を解決するための手段】
【０００６】
上述した課題を解決し、目的を達成するため、請求項１の発明に係る液晶表示デバイスは、映像信号を伝送する複数のデータバスラインと、該複数のデータバスラインに該映像信号を出力する複数のソースドライバと、該複数のデータバスラインに交差する複数のゲートバスラインと、該複数のゲートバスラインを介して各々が対向する位置に配置される複数のゲートドライバと、該複数のデータバスラインと該複数のゲートバスラインの各交差点に配置された画素電極と、ゲート電極を該ゲートバスラインに接続し、ソース電極を該データバスラインに接続し、またドレイン電極を該画素電極に接続したスイッチング素子と、を有する液晶表示デバイスであって、前記複数のゲートバスラインは、前記対向する複数のゲートドライバの間で不規則に分割されることを特徴とする。
【０００７】
この請求項１の発明によれば、複数のゲートバスラインは、対向する複数のゲートドライバの間で不規則に分割されることとしたので、液晶表示デバイスは、液晶パネルのつなぎ目が表示されないようにできる。
【０００８】
また、請求項２の発明に係る液晶表示デバイスは、請求項１の発明において、前記複数のゲートバスラインは、前記対向する複数のゲートドライバの間の中央を挟んで不規則に分割されることを特徴とする。
【０００９】
この請求項２の発明によれば、複数のゲートバスラインは、対向する複数のゲートドライバの間の中央を挟んで不規則に分割されることとしたので、液晶表示デバイスは、液晶パネルのつなぎ目が表示されないようにできる。
【００１０】
また、請求項３の発明に係る液晶表示デバイスは、請求項１の発明において、前記複数のゲートバスラインは、前記対向する複数のゲートドライバの間の中央からいずれか一方の複数のゲートドライバ寄りの領域で不規則に分割されることを特徴とする。
【００１１】
この請求項３の発明によれば、複数のゲートバスラインは、対向する複数のゲートドライバの間の中央からいずれか一方の複数のゲートドライバ寄りの領域で不規則に分割されることとしたので、液晶表示デバイスは、液晶パネルのつなぎ目が表示されないようにできる。
【００１２】
また、請求項４の発明に係る液晶表示デバイスは、請求項１、２または３の発明において、前記複数のソースドライバに対向する位置に配置され、前記複数のデータバスラインに前記映像信号を出力する複数のソースドライバをさらに備え、前記複数のデータバスラインは、前記対向する複数のソースドライバの間で不規則に分割されることを特徴とする。
【００１３】
この請求項４の発明によれば、複数のデータバスラインは、対向する複数のソースドライバの間で不規則に分割されることとしたので、液晶表示デバイスは、液晶パネルのつなぎ目が表示されないようにできる。
【００１４】
また、請求項５の発明に係る液晶表示デバイスは、請求項４の発明において、前記複数のデータバスラインは、前記対向する複数のソースドライバの間の中央を挟んで不規則に分割されることを特徴とする。
【００１５】
この請求項５の発明によれば、複数のデータバスラインは、対向する複数のソースドライバの間の中央を挟んで不規則に分割されることとしたので、液晶表示デバイスは、液晶パネルのつなぎ目が表示されないようにできる。
【００１６】
また、請求項６の発明に係る液晶表示デバイスは、請求項４の発明において、前記複数のデータバスラインは、前記対向する複数のソースドライバの間の中央からいずれか一方の複数のソースドライバ寄りの領域で不規則に分割されることを特徴とする。
【００１７】
この請求項６の発明によれば、複数のデータバスラインは、対向する複数のソースドライバの間の中央からいずれか一方の複数のソースドライバ寄りの領域で不規則に分割されることとしたので、液晶表示デバイスは、液晶パネルのつなぎ目が表示されないようにできる。
【００１８】
また、請求項７の発明に係る液晶表示デバイスは、映像信号を伝送する複数のデータバスラインと、該複数のデータバスラインに該映像信号を出力する複数のソースドライバと、該複数のデータバスラインに交差する複数のゲートバスラインと、該複数のゲートバスラインを介して各々が対向する位置に配置される複数のゲートドライバと、該複数のデータバスラインと該複数のゲートバスラインの各交差点に配置された画素電極と、ゲート電極を該ゲートバスラインに接続し、ソース電極を該データバスラインに接続し、またドレイン電極を該画素電極に接続したスイッチング素子と、を有する液晶表示デバイスであって、前記複数のゲートバスラインは、前記対向する複数のゲートドライバの間で規則的に分割されることを特徴とする。
【００１９】
この請求項７の発明によれば、複数のゲートバスラインは、対向する複数のゲートドライバの間で規則的に分割されることとしたので、液晶表示デバイスは、液晶パネルのつなぎ目が表示されないようにできる。
【００２０】
また、請求項８の発明に係る液晶表示デバイスは、請求項７の発明において、前記複数のゲートバスラインは、前記対向する複数のゲートドライバの間の中央を挟んで規則的に分割されることを特徴とする。
【００２１】
この請求項８の発明によれば、複数のゲートバスラインは、対向する複数のゲートドライバの間の中央を挟んで規則的に分割されることとしたので、液晶表示デバイスは、液晶パネルのつなぎ目が表示されないようにできる。
【００２２】
また、請求項９の発明に係る液晶表示デバイスは、請求項７の発明において、前記複数のゲートバスラインは、前記対向する複数のゲートドライバの間の中央からいずれか一方の複数のゲートドライバ寄りの領域で規則的に分割されることを特徴とする。
【００２３】
この請求項９の発明によれば、複数のゲートバスラインは、対向する複数のゲートドライバの間の中央からいずれか一方の複数のゲートドライバ寄りの領域で規則的に分割されることとしたので、液晶表示デバイスは、液晶パネルのつなぎ目が表示されないようにできる。
【００２４】
また、請求項１０の発明に係る液晶表示デバイスは、請求項７、８または９の発明において、前記複数のソースドライバに対向する位置に配置され、前記複数のデータバスラインに前記映像信号を出力する複数のソースドライバをさらに備え、前記複数のデータバスラインは、前記対向する複数のソースドライバの間で規則的に分割されることを特徴とする。
【００２５】
この請求項１０の発明によれば、複数のデータバスラインは、対向する複数のソースドライバの間で規則的に分割されることとしたので、液晶表示デバイスは、液晶パネルのつなぎ目が表示されないようにできる。
【００２６】
また、請求項１１の発明に係る液晶表示デバイスは、請求項１０の発明において、前記複数のデータバスラインは、前記対向する複数のソースドライバの間の中央を挟んで規則的に分割されることを特徴とする。
【００２７】
この請求項１１の発明によれば、複数のデータバスラインは、対向する複数のソースドライバの間の中央を挟んで規則的に分割されることとしたので、液晶表示デバイスは、液晶パネルのつなぎ目が表示されないようにできる。
【００２８】
また、請求項１２の発明に係る液晶表示デバイスは、請求項１０の発明において、前記複数のデータバスラインは、前記対向する複数のソースドライバの間の中央からいずれか一方の複数のソースドライバ寄りの領域で規則的に分割されることを特徴とする。
【００２９】
この請求項１２の発明によれば、複数のデータバスラインは、対向する複数のソースドライバの間の中央からいずれか一方の複数のソースドライバ寄りの領域で規則的に分割されることとしたので、液晶表示デバイスは、液晶パネルのつなぎ目が表示されないようにできる。
【発明の効果】
【００３０】
請求項１の発明によれば、複数のゲートバスラインは、対向する複数のゲートドライバの間で不規則に分割されるよう構成したので、液晶表示デバイスは、液晶パネルのつなぎ目が表示されないようにできるという効果を奏する。
【００３１】
また、請求項２の発明によれば、複数のゲートバスラインは、対向する複数のゲートドライバの間の中央を挟んで不規則に分割されるよう構成したので、液晶表示デバイスは、液晶パネルのつなぎ目が表示されないようにできるという効果を奏する。
【００３２】
また、請求項３の発明によれば、複数のゲートバスラインは、対向する複数のゲートドライバの間の中央からいずれか一方の複数のゲートドライバ寄りの領域で不規則に分割されるよう構成したので、液晶表示デバイスは、液晶パネルのつなぎ目が表示されないようにできるという効果を奏する。
【００３３】
また、請求項４の発明によれば、複数のデータバスラインは、対向する複数のソースドライバの間で不規則に分割されるよう構成したので、液晶表示デバイスは、液晶パネルのつなぎ目が表示されないようにできるという効果を奏する。
【００３４】
また、請求項５の発明によれば、複数のデータバスラインは、対向する複数のソースドライバの間の中央を挟んで不規則に分割されるよう構成したので、液晶表示デバイスは、液晶パネルのつなぎ目が表示されないようにできるという効果を奏する。
【００３５】
また、請求項６の発明によれば、複数のデータバスラインは、対向する複数のソースドライバの間の中央からいずれか一方の複数のソースドライバ寄りの領域で不規則に分割されるよう構成したので、液晶表示デバイスは、液晶パネルのつなぎ目が表示されないようにできるという効果を奏する。
【００３６】
また、請求項７の発明によれば、複数のゲートバスラインは、対向する複数のゲートドライバの間で規則的に分割されるよう構成したので、液晶表示デバイスは、液晶パネルのつなぎ目が表示されないようにできるという効果を奏する。
【００３７】
また、請求項８の発明によれば、複数のゲートバスラインは、対向する複数のゲートドライバの間の中央を挟んで規則的に分割されるよう構成したので、液晶表示デバイスは、液晶パネルのつなぎ目が表示されないようにできるという効果を奏する。
【００３８】
また、請求項９の発明によれば、複数のゲートバスラインは、対向する複数のゲートドライバの間の中央からいずれか一方の複数のゲートドライバ寄りの領域で規則的に分割されるよう構成したので、液晶表示デバイスは、液晶パネルのつなぎ目が表示されないようにできるという効果を奏する。
【００３９】
また、請求項１０の発明によれば、複数のデータバスラインは、対向する複数のソースドライバの間で規則的に分割されるよう構成したので、液晶表示デバイスは、液晶パネルのつなぎ目が表示されないようにできるという効果を奏する。
【００４０】
また、請求項１１の発明によれば、複数のデータバスラインは、対向する複数のソースドライバの間の中央を挟んで規則的に分割されるよう構成したので、液晶表示デバイスは、液晶パネルのつなぎ目が表示されないようにできるという効果を奏する。
【００４１】
また、請求項１２の発明によれば、複数のデータバスラインは、対向する複数のソースドライバの間の中央からいずれか一方の複数のソースドライバ寄りの領域で規則的に分割されるよう構成したので、液晶表示デバイスは、液晶パネルのつなぎ目が表示されないようにできるという効果を奏する。
【発明を実施するための最良の形態】
【００４２】
以下に添付図面を参照して、この発明に係る液晶表示デバイスの好適な実施例１〜３を詳細に説明する。
（１）実施例１では、複数のゲートバスラインが対向する複数のゲートドライバの間で不    規則に分割される場合について説明する。
（２）実施例２では、複数のゲートバスラインが対向する複数のゲートドライバの間で規    則的に分割される場合について説明する。
（３）実施例３では、複数のデータバスラインが対向する複数のソースドライバの間で規    則的に分割される場合について説明する。
【実施例１】
【００４３】
本実施例では、複数のゲートバスラインが対向する複数のゲートドライバの間で不規則に分割される場合について説明する。ここでは、（１）液晶表示デバイスの概要と主要な特徴、（２）液晶表示デバイスの構成、（３）液晶パネルのゲートバスラインの分割の順番に説明する。
【００４４】
（１）液晶表示デバイスの概要と主要な特徴
まず、図１〜図２を参照して、本実施例に係る液晶表示デバイスの概要と主要な特徴について説明する。図１は、実施例１に係る液晶表示デバイス１の構成を示す構成図である。また、図２は、実施例１に係る液晶表示デバイス１の別の構成を示す構成図である。なお、図１および図２の構成は、ゲートバスラインを分割する位置が相違する点を除き同一である。
【００４５】
図１〜図２に示すように、本実施例に係る液晶表示デバイス１は、映像信号を伝送するデータバスライン（１０ａ−１〜１０ａ−６、１０ｂ−１〜１０ｂ−６）と、データバスライン（１０ａ−１〜１０ａ−６、１０ｂ−１〜１０ｂ−６）に映像信号を出力するソースドライバ（１０ａ、１０ｂ）と、データバスライン（１０ａ−１〜１０ａ−６、１０ｂ−１〜１０ｂ−６）に交差するゲートバスライン（２０ａ−１〜２０ａ−８、２０ｂ−１〜２０ｂ−８）と、ゲートバスライン（２０ａ−１〜２０ａ−８、２０ｂ−１〜２０ｂ−８）を介して各々が対向する位置に配置されるゲートドライバ（２０ａ、２０ｂ）と、データバスライン（１０ａ−１〜１０ａ−６、１０ｂ−１〜１０ｂ−６）とゲートバスライン（２０ａ−１〜２０ａ−８、２０ｂ−１〜２０ｂ−８）の各交差点に配置された画素電極４と、ゲート電極をゲートバスライン（２０ａ０−１〜２０ａ−８、２０ｂ−１〜２０ｂ−８）に接続し、ソース電極をデータバスライン（１０ａ−１〜１０ａ−６、１０ｂ−１〜１０ｂ−６）に接続し、またドレイン電極を画素電極４に接続したＴＦＴ５と、を有するデバイスであり、液晶表示デバイス１は、液晶パネル２のつなぎ目が表示されないようにできることを特徴とする。
【００４６】
また、図１〜図２に示すように、ゲートバスライン（２０ａ−１〜２０ａ−８、２０ｂ−１〜２０ｂ−８）は、ゲートドライバ２０ａとゲートドライバ２０ｂとの間で不規則に分割されることとしたので、液晶表示デバイス１は、液晶パネル２のつなぎ目が表示されないようにできる。
【００４７】
（２）液晶表示デバイスの構成
図１を参照して、本実施例に係る液晶表示デバイス１の構成について説明する。同図に示すように、液晶表示デバイス１は、液晶パネル２、ソースドライバ（１０ａ、１０ｂ）、ゲートドライバ（２０ａ、２０ｂ）を有する。液晶パネル２は、直交して配置された２枚の偏向板に挟まれた液晶の配列を印加電圧によって制御して画像を表示する画像表示パネルであり、データバスライン（１０ａ−１〜１０ａ−６、１０ｂ−１〜１０ｂ−６）、ゲートバスライン（２０ａ−１〜２０ａ−８、２０ｂ−１〜２０ｂ−８）、データバスライン（１０ａ−１〜１０ａ−６、１０ｂ−１〜１０ｂ−６）とゲートバスライン（２０ａ−１〜２０ａ−８、２０ｂ−１〜２０ｂ−８）の交差点に接続された画素電極４およびＴＦＴ５を有する。
【００４８】
データバスライン（１０ａ−１〜１０ａ−６、１０ｂ−１〜１０ｂ−６）は、映像信号を画素電極４に伝送するデータラインである。また、ゲートバスライン（２０ａ−１〜２０ａ−８、２０ｂ−１〜２０ｂ−８）は、データバスライン（１０ａ−１〜１０ａ−６、１０ｂ−１〜１０ｂ−６）に接続する画素電極４を走査する走査ラインである。また、画素電極４は、液晶に電圧を印加する電極である。また、ＴＦＴ５は、ゲート電極をゲートバスライン（２０ａ−１〜２０ａ−８、２０ｂ−１〜２０ｂ−８）に接続し、ソース電極をデータバスライン（１０ａ−１〜１０ａ−６、１０ｂ−１〜１０ｂ−６）に接続し、また、ドレイン電極を画素電極４に接続した薄膜トランジスタである。また、ＴＦＴ５は、スイッチング動作によりある時間に印加された電圧を次に電圧が印加されるまで保持する。
【００４９】
（３）液晶パネルのゲートバスラインの分割
次に、図１および図２を参照して、液晶パネル２のゲートバスライン（２０ａ−１〜２０ａ−８、２０ｂ−１〜２０ｂ−８）の分割について説明する。図１に示すように、ゲートバスライン２０ａ−１とゲートバスライン２０ｂ−１は、ゲートドライバ２０ａから７番目のゲート電極、またはゲートドライバ２０ｂから５番目のゲート電極で分割されている。したがって、ゲートドライバ２０ａは、ゲートドライバ２０ａから７番目までのゲート電極を走査し、ゲートドライバ２０ｂは、ゲートドライバ２０ｂから５番目までのゲート電極を走査する。結果的に、ゲートドライバ２０ａによってゲートドライバ２０ａから７番目までの画素電極に画素信号が書き込まれ、ゲートドライバ２０ｂによってゲートドライバ２０ｂから５番目までの画素電極に映像信号が書き込まれる。
【００５０】
同様に、ゲートバスライン２０ａ−２とゲートバスライン２０ｂ−２は、ゲートドライバ２０ａから６番目のゲート電極、またはゲートドライバ２０ｂから６番目のゲート電極で分割されている。したがって、ゲートドライバ２０ａは、ゲートドライバ２０ａから６番目までのゲート電極を走査し、ゲートドライバ２０ｂは、ゲートドライバ２０ｂから６番目までのゲート電極を走査する。結果的に、ゲートドライバ２０ａによってゲートドライバ２０ａから６番目までの画素電極に画素信号が書き込まれ、ゲートドライバ２０ｂによってゲートドライバ２０ｂから６番目までの画素電極に映像信号が書き込まれる。
【００５１】
図１の太い実線は、ゲートドライバ２０ａとゲートドライバ２０ｂによって走査される液晶パネル２の領域の境界を示している。このように、ゲートドライバ２０ａとゲートドライバ２０ｂによって走査される液晶パネル２の領域を対向するゲートドライバの２０ａ、２０ｂの間の中央を挟んで不規則に分割することにより、液晶表示デバイス１は、液晶パネル２のつなぎ目が表示されないようにできる。
【００５２】
また、図２に示すように、ゲートバスライン（２０ａ−１〜２０ａ−８、２０ｂ−１〜２０ｂ−８）は、対向するゲートドライバ２０ａとゲートドライバ２０ｂの間の中央からゲートドライバ２０ｂ寄りの領域で不規則に分割されている。
【００５３】
このように、ゲートバスライン（２０ａ−１〜２０ａ−８、２０ｂ−１〜２０ｂ−８）は、対向するゲートドライバ２０ａとゲートドライバ２０ｂの間の中央からゲートドライバ２０ｂ寄りの領域で不規則に分割されていることにより、液晶表示デバイス１は、液晶パネル２のつなぎ目が表示されないようにできる。
【００５４】
上述してきたように、本実施例１では、ゲートバスライン（２０ａ−１〜２０ａ−８、２０ｂ−１〜２０ｂ−８）は、対向するゲートドライバ２０ａとゲートドライバ２０ｂの間で不規則に分割されることとしたので、液晶表示デバイス１は、液晶パネル２のつなぎ目が表示されないようにできる。
【００５５】
また、ゲートバスライン（２０ａ−１〜２０ａ−８、２０ｂ−１〜２０ｂ−８）は、対向するゲートドライバ２０ａとゲートドライバ２０ｂの間の中央を挟んで不規則に分割されることとしたので、液晶表示デバイス１は、液晶パネル２のつなぎ目が表示されないようにできる。
【００５６】
また、ゲートバスライン（２０ａ−１〜２０ａ−８、２０ｂ−１〜２０ｂ−８）は、対向するゲートドライバ２０ａとゲートドライバ２０ｂの間の中央からゲートドライバ２０ｂ寄りの領域で不規則に分割されていることとしたので、液晶表示デバイス１は、液晶パネル２のつなぎ目が表示されないようにできる。
【実施例２】
【００５７】
実施例２では、複数のゲートバスラインが対向する複数のゲートドライバの間で規則的に分割される場合について説明する。
【００５８】
図３〜図６を参照して、実施例２に係る液晶表示デバイス１の構成について説明する。図３は、実施例２に係る液晶表示デバイスの構成を示す構成図である。また、図４は、実施例２に係る液晶表示デバイスの別の構成を示す構成図である。また、図５は、実施例２に係る液晶表示デバイスのさらに別の構成を示す構成図である。また、図６は、実施例２に係る液晶表示デバイスのさらに異なる構成を示す構成図である。なお、図３〜図６の構成は、ゲートバスラインを分割する位置が相違する点を除き同一である。ここでは、実施例１の図１〜図２と相違する部分について説明し、共通な部分については説明を省略する。
【００５９】
図３に示すように、ゲートバスライン２０ａ−１とゲートバスライン２０ｂ−１は、ゲートドライバ２０ａから７番目のゲート電極、またはゲートドライバ２０ｂから５番目のドレイン電極で分割されている。したがって、ゲートドライバ２０ａは、ゲートドライバ２０ａから７番目までのゲート電極を走査し、ゲートドライバ２０ｂは、ゲートドライバ２０ｂから５番目までのゲート電極を走査する。結果的に、ゲートドライバ２０ａによってゲートドライバ２０ａから７番目までの画素電極に画素信号が書き込まれ、ゲートドライバ２０ｂによってゲートドライバ２０ｂから５番目までの画素電極に映像信号が書き込まれる。
【００６０】
同様に、ゲートバスライン２０ａ−２とゲートバスライン２０ｂ−２は、ゲートドライバ２０ａから５番目のゲート電極、またはゲートドライバ２０ｂから７番目のドレイン電極で分割されている。したがって、ゲートドライバ２０ａは、ゲートドライバ２０ａから５番目までのゲート電極を走査し、ゲートドライバ２０ｂは、ゲートドライバ２０ｂから７番目までのゲート電極を走査する。結果的に、ゲートドライバ２０ａによってゲートドライバ２０ａから５番目までの画素電極に画素信号が書き込まれ、ゲートドライバ２０ｂによってゲートドライバ２０ｂから７番目までの画素電極に映像信号が書き込まれる。
【００６１】
図３の太い実線は、ゲートドライバ２０ａとゲートドライバ２０ｂによって走査される液晶パネル２の領域の境界を示している。このように、ゲートドライバ２０ａと２０ｂが走査する領域をゲートバスラインごとに対向するゲートドライバ２０ａ、２０ｂの間の中央を挟んで規則的に分割することにより、液晶表示デバイス１は、液晶パネル２のつなぎ目が表示されないようにできる。
【００６２】
また、図４の太い実線で示すように、ゲートドライバ２０ａと２０ｂが走査する領域を２本のゲートバスラインごとに対向するゲートドライバ２０ａ、２０ｂの間の中央を挟んで規則的に分割することにより、液晶表示デバイス１は、液晶パネル２のつなぎ目が表示されないようにできる。
【００６３】
また、図５に示すように、ゲートバスライン（２０ａ−１〜２０ａ−８、２０ｂ−１〜２０ｂ−８）は、対向するゲートドライバ２０ａとゲートドライバ２０ｂの間の中央からゲートドライバ２０ｂ寄りの領域で分割されている。また、図３と同様に、ゲートバスライン（２０ａ−１〜２０ａ−８、２０ｂ−１〜２０ｂ−８）は、ゲートバスラインごとに規則的に分割されている。
【００６４】
このように、ゲートバスライン（２０ａ−１〜２０ａ−８、２０ｂ−１〜２０ｂ−８）は、ゲートバスラインごとに対向するゲートドライバ２０ａとゲートドライバ２０ｂの間の中央からゲートドライバ２０ｂ寄りの領域で規則的に分割されることにより、液晶表示デバイス１は、液晶パネル２のつなぎ目が表示されないようにできる。
【００６５】
また、図６に示すように、ゲートバスライン（２０ａ−１〜２０ａ−８、２０ｂ−１〜２０ｂ−８）は、対向するゲートドライバ２０ａとゲートドライバ２０ｂの間の中央からゲートドライバ２０ｂ寄りの領域で分割されている。また、図４と同様に、ゲートバスライン（２０ａ−１〜２０ａ−８、２０ｂ−１〜２０ｂ−８）は、２本のゲートバスラインごとに規則的に分割されている。
【００６６】
このように、ゲートバスライン（２０ａ−１〜２０ａ−８、２０ｂ−１〜２０ｂ−８）は、２本のゲートバスラインごとに対向するゲートドライバ２０ａとゲートドライバ２０ｂの間の中央からゲートドライバ２０ｂ寄りの領域で規則的に分割されることにより、液晶表示デバイス１は、液晶パネル２のつなぎ目が表示されないようにできる。
【００６７】
上述してきたように、本実施例２では、ゲートバスライン（２０ａ−１〜２０ａ−８、２０ｂ−１〜２０ｂ−８）は、対向するゲートドライバ２０ａとゲートドライバ２０ｂの間で規則的に分割されることとしたので、液晶表示デバイス１は、液晶パネル２のつなぎ目が表示されないようにできる。
【００６８】
また、ゲートバスライン（２０ａ−１〜２０ａ−８、２０ｂ−１〜２０ｂ−８）は、対向するゲートドライバ２０ａとゲートドライバ２０ｂの間の中央を挟んで規則的に分割されることとしたので、液晶表示デバイス１は、液晶パネル２のつなぎ目が表示されないようにできる。
【００６９】
また、ゲートバスライン（２０ａ−１〜２０ａ−８、２０ｂ−１〜２０ｂ−８）は、対向するゲートドライバ２０ａとゲートドライバ２０ｂの間の中央からゲートドライバ２０ｂ寄りの領域で規則的に分割されることとしたので、液晶表示デバイス１は、液晶パネル２のつなぎ目が表示されないようにできる。
【実施例３】
【００７０】
実施例３では、複数のデータバスラインが対向する複数のソースドライバの間で規則的に分割される場合について説明する。図７〜図９を参照して、実施例３に係る液晶表示デバイス１ａの構成について説明する。図７は、実施例３に係る液晶表示デバイス１ａの構成を示す構成図である。また、図８は、実施例３に係る液晶表示デバイス１ａの別の構成を示す構成図である。また、図９は、実施例３に係る液晶表示デバイス１ａのさらに別の構成を示す構成図である。なお、図７〜図９の構成は、ゲートバスラインを分割する位置が相違する点を除き同一である。ここでは、実施例１の図１〜２と相違する部分について説明し、共通な部分については説明を省略する。
【００７１】
図７に示すように、液晶表示デバイス１ａは、液晶パネル２ａ、ソースドライバ（１０ａ、１０ｂ、１０ｃ、１０ｄ）、ゲートドライバ（２０ａ、２０ｂ、２０ｃ、２０ｄ）を有する。実施例１の図１〜図２との構成の相違は、ソースドライバ（１０ｃ、１０ｄ）、ゲートドライバ（２０ｃ、２０ｄ）、データバスライン（１０ｃ−１〜１０ｃ−６、１０ｄ−１〜１０ｄ−６）、ゲートバスライン（２０ｃ−１〜１０ｃ−８、２０ｄ−１〜２０ｄ−８）がさらに追加されたことである。ソースドライバ（１０ｃ、１０ｄ）は、データバスライン（１０ｃ−１〜１０ｃ−６、１０ｄ−１〜１０ｄ−６）を介して画素電極４に映像信号を出力する。また、ゲートドライバ（２０ｃ、２０ｄ）は、ゲートバスライン（２０ｃ−１〜２０ｃ−８、２０ｄ−１〜２０ｄ−８）を介して画素電極４を走査する。
【００７２】
図７に示すように、データバスライン１０ａ−１とデータバスライン１０ｃ−１は、ソースドライバ１０ａから９番目のソース電極、またはソースドライバ１０ｃから７番目のソース電極で分割されている。また、データバスライン１０ａ−２と１０ｃ−２は、ソースドライバ１０ａから７番目のソース電極、またはソースドライバ１０ｃから９番目のソース電極で分割されている。このように、データバスライン（１０ａ−１〜１０ａ−６）と（１０ｃ−１〜１０ｃ−６）は、ソースドライバ１０ａとソースドライバ１０ｃの間の中央を挟んで規則的に分割される。また、データバスライン（１０ｂ−１〜１０ｂ−６）とデータバスライン（１０ｄ−１〜１０ｄ−６）も、同様である。
【００７３】
一方、ゲートバスライン（２０ａ−１〜２０ａ−８）とゲートバスライン（２０ｂ−１〜２０ｂ−８）は、実施例１の図１に示すように、ゲートドライバ２０ａとゲートドライバ２０ｂの中央を挟んで不規則に分割される。また、ゲートバスライン（２０ｃ−１〜２０ｃ−８）とゲートバスライン（２０ｄ−１〜２０ｄ−８）も、同様である。
【００７４】
このように、データバスライン（１０ａ−１〜１０ａ−６、１０ｂ−１〜１０ｂ−６）と（１０ｃ−１〜１０ｃ−６、１０ｄ−１〜１０ｄ−６）は、対向するソースドライバ（１０ａ、１０ｂ）とソースドライバ（１０ｃ、１０ｄ）の間の中央を挟んで規則的に分割され、ゲートバスライン（２０ａ−１〜２０ａ−８、２０ｃ−１〜２０ｃ−８）とゲートバスライン（２０ｂ−１〜２０ｂ−８、２０ｄ−１〜２０ｄ−８）は、ゲートドライバ（２０ａ、２０ｃ）とゲートドライバ（２０ｂ、２０ｄ）の中央を挟んで不規則に分割されることとしたので、液晶表示デバイス１は、液晶パネル２ａのつなぎ目が表示されないようにできる。
【００７５】
また、図８に示すように、データバスライン（１０ａ−１〜１０ａ−６）とデータバスライン（１０ｃ−１〜１０ｃ−６）は、対向するソースドライバ１０ａとソースドライバ１０ｃの間の中央を挟んで規則的に分割される。また、データバスライン（１０ｂ−１〜１０ｂ−６）とデータバスライン（１０ｄ−１〜１０ｄ−６）も、同様である。
【００７６】
一方、ゲートバスライン（２０ａ−１〜２０ａ−８）とゲートバスライン（２０ｂ−１〜２０ｂ−８）は、実施例２の図３に示すように、対向するゲートドライバ２０ａとゲートドライバ２０ｂの中央を挟んで規則的に分割される。また、ゲートバスライン（２０ｃ−１〜２０ｃ−８）とゲートバスライン（２０ｄ−１〜２０ｄ−８）も、同様である。
【００７７】
このように、データバスライン（１０ａ−１〜１０ａ−６、１０ｂ−１〜１０ｂ−６）と（１０ｃ−１〜１０ｃ−６、１０ｄ−１〜１０ｄ−６）は、対向するソースドライバ（１０ａ、１０ｂ）とソースドライバ（１０ｃ、１０ｄ）の間の中央を挟んで規則的に分割され、ゲートバスライン（２０ａ−１〜２０ａ−８、２０ｃ−１〜２０ｃ−８）とゲートバスライン（２０ｂ−１〜２０ｂ−８、２０ｄ−１〜２０ｄ−８）は、対向するゲートドライバ（２０ａ、２０ｃ）とゲートドライバ（２０ｂ、２０ｄ）の中央を挟んで規則的に分割されることとしたので、液晶表示デバイス１は、液晶パネル２ａのつなぎ目が表示されないようにできる。
【００７８】
また、図９に示すように、対向するデータバスライン（１０ａ−１〜１０ａ−６）とデータバスライン（１０ｃ−１〜１０ｃ−６）は、対向するソースドライバ１０ａとソースドライバ１０ｃの間の中央を挟んで規則的に分割される。また、データバスライン（１０ｂ−１〜１０ｂ−６）とデータバスライン（１０ｄ−１〜１０ｄ−６）も、同様である。
【００７９】
一方、ゲートバスライン（２０ａ−１〜２０ａ−８）とゲートバスライン（２０ｂ−１〜２０ｂ−８）は、実施例２の図４に示すように、２本のゲートバスラインごとにゲートドライバ２０ａと２０ｂの中央を挟んで規則的に分割される。また、ゲートバスライン（２０ｃ−１〜２０ｃ−８）とゲートバスライン（２０ｄ−１〜２０ｄ−８）も、同様である。
【００８０】
このように、データバスライン（１０ａ−１〜１０ａ−６、１０ｂ−１〜１０ｂ−６）とデータバスライン（１０ｃ−１〜１０ｃ−６、１０ｄ−１〜１０ｄ−６）は、対向するソースドライバ（１０ａ、１０ｂ）とソースドライバ（１０ｃ、１０ｄ）の間の中央を挟んで規則的に分割され、ゲートバスライン（２０ａ−１〜２０ａ−８、２０ｃ−１〜２０ｃ−８）とゲートバスライン（２０ｂ−１〜２０ｂ−８、２０ｄ−１〜２０ｄ−８）は、対向するゲートドライバ（２０ａ、２０ｃ）とゲートドライバ（２０ｂ、２０ｄ）の中央を挟んで規則的に分割されることとしたので、液晶表示デバイス１は、液晶パネル２ａのつなぎ目が表示されないようにできる。
【００８１】
ところで、図７〜図９では、データバスライン（１０ａ−１〜１０ａ−６、１０ｂ−１〜１０ｂ−６、１０ｃ−１〜１０ｃ−６、１０ｄ−１〜１０ｄ−６）は、対向するソースドライバ（１０ａ、１０ｂ）とソースドライバ（１０ｃ、１０ｄ）の間の中央を挟んで規則的に分割される場合について説明したが、本発明はそれに限定されるものではなく、データバスライン（１０ａ−１〜１０ａ−６、１０ｂ−１〜１０ｂ−６、１０ｃ−１〜１０ｃ−６、１０ｄ−１〜１０ｄ−６）は、対向するソースドライバ（１０ａ、１０ｂ）とソースドライバ（１０ｃ、１０ｄ）の間の中央からいずれか一方のソースドライバ（１０ａ、１０ｂ）またはソースドライバ（１０ｃ、１０ｄ）寄りの領域で規則的に分割される場合について適用することができる。
【００８２】
上述してきたように、本実施例３では、ソースドライバ（１０ａ、１０ｂ）に対向する位置に配置され、データバスライン（１０ｃ−１〜１０ｃ−６、１０ｄ−１〜１０ｄ−６）に映像信号を出力するソースドライバ（１０ｃ、１０ｄ）をさらに備え、データバスライン（１０ａ−１〜１０ａ−６、１０ｂ−１〜１０ｂ−６、１０ｃ−１〜１０ｃ６、１０ｄ−１〜１０ｄ−６）は、対向するソースドライバ（１０ａ、１０ｂ）とソースドライバ（１０ｃ、１０ｄ）の間で規則的に分割されることとしたので、液晶表示デバイス１は、液晶パネル２ａのつなぎ目が表示されないようにできる。
【００８３】
また、データバスライン（１０ａ−１〜１０ａ−６、１０ｂ−１〜１０ｂ−６、１０ｃ−１〜１０ｃ６、１０ｄ−１〜１０ｄ−６）は、対向するソースドライバ（１０ａ、１０ｂ）とソースドライバ（１０ｃ、１０ｄ）の間の中央を挟んで規則的に分割されることとしたので、液晶表示デバイス１は、液晶パネル２ａのつなぎ目が表示されないようにできる。
【００８４】
さて、これまで本発明の実施例について説明したが、本発明は上述した実施例以外にも、上記特許請求の範囲に記載した技術的思想の範囲内において種々の異なる実施例にて実施されてもよいものである。
【００８５】
例えば、実施例３では、データバスライン（１０ａ−１〜１０ａ−６、１０ｂ−１〜１０ｂ−６、１０ｃ−１〜１０ｃ−６、１０ｄ−１〜１０ｄ−６）は、対向するソースドライバ（１０ａ、１０ｂ）とソースドライバ（１０ｃ、１０ｄ）の間の中央を挟んで規則的に分割される場合について説明したが、本発明はそれに限定されるものではなく、データバスライン（１０ａ−１〜１０ａ−６、１０ｂ−１〜１０ｂ−６、１０ｃ−１〜１０ｃ−６、１０ｄ−１〜１０ｄ−６）は、対向するソースドライバ（１０ａ、１０ｂ）とソースドライバ（１０ｃ、１０ｄ）の間で不規則に分割される場合について適用することができる。
【産業上の利用可能性】
【００８６】
以上のように、本発明にかかる液晶表示デバイスは、特に、アクティブマトリックスＴＦＴ  ＬＣＤに適している。
【図面の簡単な説明】
【００８７】
【図１】実施例１に係る液晶表示デバイスの構成を示す構成図である。
【図２】実施例１に係る液晶表示デバイスの別の構成を示す構成図である。
【図３】実施例２に係る液晶表示デバイスの構成を示す構成図である。
【図４】実施例２に係る液晶表示デバイスの別の構成を示す構成図である。
【図５】実施例２に係る液晶表示デバイスのさらに別の構成を示す構成図である。
【図６】実施例２に係る液晶表示デバイスのさらに異なる構成を示す構成図である。
【図７】実施例３に係る液晶表示デバイスの構成を示す構成図である。
【図８】実施例３に係る液晶表示デバイスの別の構成を示す構成図である。
【図９】実施例３に係る液晶表示デバイスのさらに別の構成を示す構成図である。
【符号の説明】
【００８８】
１、１ａ    液晶表示デバイス
２、２ａ    液晶パネル
４    画素電極
５    ＴＦＴ
１０ａ、１０ｂ、１０ｃ、１０ｄ    ソースドライバ
２０ａ、２０ｂ、２０ｃ、２０ｄ    ゲートドライバ
１０ａ−１、１０ａ−２、１０ａ−３、１０ａ−４、１０ａ−５、１０ａ−６、１０ｂ−１、１０ｂ−２、１０ｂ−３、１０ｂ−４、１０ｂ−６、１０ｃ−１、１０ｃ−２、１０ｃ−３、１０ｃ−４、１０ｃ−５、１０ｃ−６、１０ｄ−１、１０ｄ−２、１０ｄ−３、１０ｄ−４、１０ｄ−５、１０ｄ−６    データバスライン
２０ａ−１、２０ａ−２、２０ａ−３、２０ａ−４、２０ａ−５、２０ａ−６、２０ａ−７、２０ａ−８、２０ｂ−１、２０ｂ−２、２０ｂ−３、２０ｂ−４、２０ｂ−５、２０ｂ−６、２０ｂ−７、２０ｂ−８、２０ｃ−１、２０ｃ−２、２０ｃ−３、２０ｃ−４、２０ｃ−５、２０ｃ−６、２０ｃ−７、２０ｃ−８、２０ｄ−１、２０ｄ−２、２０ｄ−３、２０ｄ−４、２０ｄ−５、２０ｄ−６、２０ｄ−７、２０ｄ−８    ゲートバスライン
【図１】
2005338622.tif 000003
【図２】
2005338622.tif 000004
【図３】
2005338622.tif 000005
【図４】
2005338622.tif 000006
【図５】
2005338622.tif 000007
【図６】
2005338622.tif 000008
【図７】
2005338622.tif 000009
【図８】
2005338622.tif 000010
【図９】
2005338622.tif 000011